【事件の表示】
　平成　６年特許願第　７８９５２号「ディスクエンクロージャのデバイスタイプ判別装置」拒絶査定不服審判事件〔平成　７年１０月３１日出願公開、特開平　７−２８７９２７〕について、次のとおり審決する。
【結　論】
　本件審判の請求は、成り立たない。
【理　由】
１．手続の経緯・本願発明
　本願は、平成６年４月１８日の出願であって、その請求項１乃至３に係る発明は、平成１３年１１月１日付け平成１４年１月２５日及び平成１６年９月２７日付けの手続補正書によって補正された明細書及び図面の記載からみて、その特許請求の範囲の請求項１乃至３に記載されたとおりのものと認められるところ、その請求項３に記載された発明（以下、「本願発明」という。）は、次のとおりのものと認める。
「密封されたディスクエンクロージャと、
　該ディスクエンクロージャ内に設けた複数のヘッド（１３）とこれを切り換える１つ又は複数のヘッド制御回路と、
　前記ヘッド制御回路を選択するセレクト信号（ＳＣ）と、
　該ディスクエンクロージャ機構の制御をするディスクエンクロージャ制御部（２）とをもつディスク装置において、
　ディスクエンクロージャ内に信号線（Ｌ３）を設け、
　ディスクエンクロージャ制御部（２）で、電源投入時の該ディスクエンクロージャ側で設定した信号線（Ｌ３）の信号とセレクト信号線の信号とを用いて、ディスクエンクロージャのデバイスタイプを判別することを特徴とするディスクエンクロージャのデバイスタイプ判別装置。」
　
　２．刊行物の発明　
（１）　当審の平成１６年７月１６日付け拒絶理由に引用された特開昭６３−３１１６０４号公報（以下、「刊行物１」という。）には、図面とともに以下の事項が記載されている。
「磁気ディスク板，磁気ヘッドおよび磁気ヘッド移動機構を備えたディスクエンクロージャと前記ディスクエンクロージャのために信号処理を行う電子回路とを接続する信号線が設けられたケーブルに前記ディスクエンクロージャの種類を識別するための信号線を設けたことを特徴とした磁気ディスク装置。」（特許請求の範囲）
「第１図は本発明の一実施例の主要部の電気回路図である。磁気ヘッド１７は磁気ヘッド制御用ＩＣ６に接続され、磁気ヘッド制御用ＩＣ６はコネクタ２の端子１５，１６を介してマイクロプロセッサ１４に接続されている。また，回路のＡ部、Ｂ部それぞれの一方がコネクタ２の端子１１，１２を介してマイクロプロセッサ１４に接続され、他方がコネクタ２の端子１３を介して接地されている。
　第２図は第１図に示すコネクタ２から磁気ヘッド１７側の回路を配線したケーブルの外形図で，可撓性ケーブル１にコネクタ２、磁気ヘッド制御用ＩＣ６および磁気ヘッド１７（第２図では図示略）が搭載されている。第１図に示すＡ部，Ｂ部はそれぞれ可撓性ケーブル１の突出部４，５に設けられ、突出部４，５それぞれを切断除去することによりＡ部，Ｂ部それぞれの回路が開路となるように配線が設けられている。可撓性ケーブル１の磁気ヘッド制御用ＩＣ６が搭載され突出部４，５が設られた部分３はディスクエンクロージャ内に設けられ、コネクタ２はマイクロプロセッサ１４を有するディスクエンクロージャ外の信号処理用の電子回路基板に接続される。
　ディスクエンクロージャの種類によって突出部４，５の切断、非切断を設定しておくことにより、Ａ部，Ｂ部の回路の開閉状態でディスクエンクロージャの種類を識別でき、接続されるディスクエンクロージャに最適な制御をすることができる。
　ディスクエンクロージャには、その用途によって、用途に適した磁気ディスク板および磁気ヘッドが使用される。具体的にはＭＦＭ（modified　frequency　modulation）変調方式を用いるディスクエンクロージャと２−７ＲＬＬ（2-7　run　length　limited　code）変調方式を用いるディスクエンクロージャではそれぞれの特性に合致した磁気ディスクおよび磁気ヘッドが使用される。
　ＭＦＭ用ディスクエンクロージャでは可撓性ケーブル１の突出部４，５を切断しない状態、すなわちＡ部，Ｂ部が閉路の状態で使用しておく。２−７ＲＬＬ用ディスクエンクロージャでは突出部４のみを切断し、Ａ部を開路の状態にしておく。コネクタ２を経てディスクエンクロージャ外部で接続される電子回路基板上のマイクロプロセッサ１４はコネクタ２の端子１１を経てＡ部の開閉状態を認識して、Ａ部が閉回路の時はＭＦＭ用に適した書込み電流に制御する信号を又、Ａ部が開路の時は２−７ＲＬＬ用に適した書込み電流に制御する信号をコネクタ２の端子１５を経て磁気ヘッド制御用ＩＣ６に出力する。このように同一の電子回路基板で特性の違うＭＦＭ用ディスクエンクロージャと２−７ＲＬＬ用のディスクエンクロージャを使用することができる。このように同一の電子回路基板で特性の違うＭＦＭ用ディスクエンクロージャと２−７ＲＬＬ用ディスクエンクロージャを使用することができる。」（第２頁左上欄第８行〜同左下欄第１８行）
「〔発明の効果〕
　以上説明したように本発明は、ディスクエンクロージャ内部の特性を識別する信号線を付加することにより、ディスクエンクロージャ内部の特性が異なっても同一の電子回路でディスクエンクロージャそれぞれの特性に合せて最適条件に設定することができ、動作余裕度の大きいディスク装置を供給することができる。」（第２頁左下欄第１９行〜同右下欄第６行）
　第１図には、１つの磁気ヘッド制御用ＩＣの両端に２個の磁気ヘッド１７が図示され、２個の磁気ヘッドの間には点線により複数の磁気ヘッドが省略されて記載されている。
　
　以上の記載事項及び図面から、刊行物１には、以下の発明（以下「刊行物１の発明」という。）が記載されていると認められる。
「ディスクエンクロージャと、
　前記ディスクエンクロージャ内に設けた複数の磁気ヘッドと１つの磁気ヘッド用制御用ＩＣと、
　前記ディスクエンクロージャ外の電子回路基板上のマイクロプロセッサとをもつディスク装置において、
　ディスクエンクロージャ内に信号線を付加し、
　マクロプロセッサで、ディスクエンクロージャ内の信号線の開閉状態を認識し、ディスクエンクロージャの種類を識別するディスクエンクロージャの識別装置。」
　
（２）　同じく当審の同日の拒絶理由に引用された特開昭５０−１３３８１７号公報（以下、「刊行物２」という。）には、以下の事項が図面とともに記載されている。
「図は本発明の一実施例を示し、中央の回転記憶媒体１００をとりまいて、放射状に４つの読み書きヘッド位置決め装置１０が存在する。該４つの読み書きヘッド位置決め装置は各信号線１１乃至１４によって制御装置１５の位置決め制御部１１１乃至１１４と結ばれ、該読み書きヘッド位置決め装置にとりつけられたアーム１０１の先端に備えられた読み書きヘッド１０２は回転記憶媒体１００を構成する記憶円板１０３の半径方向に移動せしめられる。前記回転記憶媒体１００は、５枚の記録円板１０３から構成され、該記憶円板１０３の外側の２面を除く残り８面の円板記録面を有し、該円板記録面中の１面は、読み書きヘッドを任意のシリンダに精密に位置決めするに用いるシリンダ位置決め情報を予め書き込んだサーボ面１０４であり、他の７面が情報を読み書きするための記録面１０５である。」（第３頁左上欄第１行〜同欄第１８行参照）
　
（３）同じく当審の同日の拒絶理由に引用された実願昭６１−１９６７０号（実開昭６２−１３３２９５号）のマイクロフィルム（以下、「刊行物３」という。）には、以下の事項が図面とともに記載されている。
「分割可能で且つ分割部を含む周辺を密封することによって気密性を保持することのできる気密容器（１）内に磁気ディスクを含む機構組立体を設置したディスクエンクロージャ形磁気ディスク装置において、
　弾性樹脂材によって一体形成され気密容器（１）の分割部（１１）の周辺を密封するシール部（２１）と気密容器（１）の支持部（１２）に接し防振ダンパとして作用するダンパ部（２２）とを有する被覆部材（２）を設けたことを特徴とするディスクエンクロージャ形磁気ディスク装置。」（実用新案登録請求の範囲）
　
（４）同じく当審の同日の拒絶理由に引用された特開平３−１３７８８２号公報（以下、「刊行物４」という。）には、以下の事項が図面とともに記載されている。
「ディスクエンクロージャ１１は、磁気ハードディスクを具えた記憶機構であって、磁気フロッピーディスクを用いるものよりもアクセスタイムが短く且つ記憶容量が大きい特徴を有している。
　コントロールプリント基板１３は、ディスクエンクロージャ１１を制御する回路を搭載したものであり、支持棒１６を介してディスクエンクロージャ１１に固定されている。」（第４頁左上欄第２０行〜同右上欄第７行）
　
３．対比　
　本願発明と刊行物１の発明を対比すると、両者は磁気ディスク装置で一致し、
　刊行物１の発明の「ディスクエンクロージャ」「磁気ヘッド」「磁気ヘッド制御用ＩＣ」「信号線」は、それぞれ本願発明の「ディスクエンクロージャ」「ヘッド」「ヘッド制御回路」「信号線」に相当し、
　刊行物１の発明の電子回路基板上の「マイクロプロセッサ」は、信号線の開閉状態からＭＦＭ用ディスクエンクロージャと２−７ＲＬＬ用のディスクエンクロージャの種類を識別しており、本願発明における「ディスクエンクロージャ制御部」がディスクエンクロージャのデバイスタイプを判別する点に対応するから、両者は以下の発明で一致する。
「ディスクエンクロージャと、
　該ディスクエンクロージャ内に設けた複数のヘッドとこれを切り換える１つのヘッド制御回路とをもつディスク装置において、
　ディスクエンクロージャ内に信号線を設け、
　該ディスクエンクロージャ側で設定した信号線の信号を用いて、ディスクエンクロージャを判別することを特徴とするディスクエンクロージャの判別装置。」
　
そして、以下の点で相違する。
（１）ディスクエンクロージャの判別装置で判別するものが、本願発明ではデバイスタイプであるのに対して、刊行物１の発明ではディスクエンクロージャの種類である点。
（２）本願発明では判別装置が電源投入時の複数のヘッド制御回路を選択するセレクト信号線の信号を用いるのに対して、刊行物１の発明はこのような構成が記載されていない点。
（３）本願発明ではディスクエンクロージャが密閉され、ディスクエンクロージャ機構の制御をするディスクエンクロージャ制御部をもつのに対して、刊行物１の発明にはこのような構成が記載されていない点。　
　　
４．当審の判断
　　相違点（１）について　
　磁気ディスク装置へ情報を記録する際に予めエンクロージャのデバイスタイプを判別しておくことは周知（
特開昭６２−８６５８０号公報
特開昭６３−１５２０１１号公報
　
　　相違点（２）について
　複数の読み書きヘッド群に対して複数のヘッド制御部と信号線を備えた磁気ディスク装置は刊行物２にもみられるように周知（この他にも
特開昭５７−１８３６６９号公報
特開昭６３−１５２０１１号公報
　
　　相違点（３）について
　ディスクエンクロージャが密封されていることは刊行物３に記載されているように周知の事項であり、ディスクエンクロージャ機構の制御する制御部が電子回路基板に形成されていることは、刊行物４に記載されているように周知であり、刊行物１の発明において、ディスクエンクロージャを密閉し、電子回路基板にディスクエンクロージャの制御部をもたせることは、当業者が容易になし得ることと認められる。
　
５．むすび　
　したがって、本願発明は、刊行物に記載された発明及び周知技術に基いて当業者が容易に発明をすることができたものであるので、特許法第２９条第２項の規定により特許を受けることができない。
　 よって、結論のとおり審決する。